(57)【要約】【課題】構造が簡単で、体積が小さく、キャビネットの各個格子をダブルロックできる共有キャビネットおよびその錠前を提供する。【解決手段】共有キャビネットおよびその錠前において、共有キャビネットはキャビネット体４およびキャビネット体４上に取付けるキャビネット錠前を含み、キャビネット体４は、そのフレーム４１を多数個の格子に仕切る。キャビネット錠前は錠前体１、鍵片２とロック開閉組部材３を含む。錠前体１は側面方向に挿入し、キャビネット体４のフレーム４１内で固定し、ロック開閉組部材３は錠前体１内に設け、鍵片２一端は錠前体１の側面に枢設し、鍵片２の別一端でその一端を中心に回転し、隣接するキャビネット体４のフレーム４１上に取付けた別のキャビネット錠前のロック開閉組部材３との間で施錠／解錠連携を達成する。【選択図】図１
0003232331.tif 000002
【実用新案登録請求の範囲】
【請求項１】
キャビネット体およびキャビネット体上に取付けるキャビネット錠前を含み、前記キャビネット体は、そのフレームを多数個の格子に仕切る共有キャビネットにおいて、
前記キャビネット錠前は錠前体、鍵片とロック開閉組部材を含み、
錠前体は側面方向に挿入し、キャビネット体のフレーム内で固定し、ロック開閉組部材は錠前体内に設け、鍵片一端は錠前体の側面に枢設し、鍵片の別一端でその一端を中心に回転し、隣接するキャビネット体のフレーム上に取付けた別のキャビネット錠前のロック開閉組部材との間で施錠／解錠連携を達成することを特徴とする共有キャビネット。
【請求項２】
前記錠前体は、設置板と外筐を含み、前記ロック開閉組部材は電動部材、第一回転部材、第二回転部材、第一ねじりバネと第二ねじりバネを含み、
設置板は側面方向に挿入してキャビネット体のフレーム内で固定し、外筐は設置板で蓋をし、外筐の内側には第一回転軸と第二回転軸を設け、第一回転部材は第一回転軸を介し外筐上で相対回転可能な状態で設置され、第一ねじりバネのコイルは第一回転軸上に嵌合設置され、且つ第一ねじりバネの一端は外筐で連接固定し、第一ねじりバネの別一端は第一回転部材と連接固定され、
第二回転部材は第二回転軸を介し外筐上で相対回転可能な状態で設置され、第二ねじりバネのコイルは第二回転軸上に嵌合設置され、且つ第二ねじりバネの一端は外筐で連接固定し、第二ねじりバネの別一端は第二回転部材と連接固定され、
電動部材は外筐内に上下可動設置し、且つ第一回転部材下方に位置し、電動部材の上端は第一回転部材の末端と連動連接し、第一回転部材先端には第一フックを成形し、鍵片一端は外筐の側面に枢設し、鍵片の別一端には第二フックを成形し、第二回転部材先端は第一フックと第二フックに対応するための掛合凸を成形し、外筐上には第二フックが鍵片下方で対応するための移動切欠口を成形し、掛合凸は移動切欠口箇所に位置し、
施錠時、鍵片は外力でその一端を中心にして回転し、キャビネットフレームで隣接する別のキャビネット錠前の外筐の移動切欠口に第二フックが入り、第二フックは別のキャビネット錠前の第二回転部材を押して回転させ、第二フックは前記第二回転部材の掛合凸を掛合して相互に位置制限し、同時に前記第二回転部材の掛合凸は第一フックを押し、第一フックは第一ねじりバネの作用力を介して掛合凸にスライド挿入し連携して位置制限し、
解錠時、電動部材は第一回転部材を下へ引き、第一回転軸を中心に回転させ、掛合凸を第一フックから弾き出し、第二回転部材は第二ねじりバネの作用力によって回転し、鍵片の第二フックを掛合凸から弾き出すことを特徴とする請求項１記載の共有キャビネット。
【請求項３】
前記ロック開閉組部材は、更に電子スイッチを含み、前記電動部材と電子スイッチは、導線または信号線でそれぞれ外部の制御設備に接続し、電子スイッチは外筐上に設置され第二回転部材末端に対応し、且つ第二回転部材末端は電子スイッチのバネ片と接触し、解錠時には、第二回転部材は第二ねじりバネ作用力で回転し、その末端はバネ片を押して電子スイッチを作動させることを特徴とする請求項２記載の共有キャビネット。
【請求項４】
前記電動部材はスライド台と電動スライド杆を含み、スライド台はネジで外筐上に固定し、スライド台はスライド槽を成形し、電動スライド杆は上下スライド方式でスライド槽の中に設け、電動スライド杆上端は連接ループで第一回転部材末端と連接して連動することを特徴とする請求項２記載の共有キャビネット。
【請求項５】
前記外筐上の第一回転部材に対応する末端には位置制限凸を設け、前記位置制限凸は第一回転部材の第一フックが掛合凸にスライド挿入できる位置に制限するもので、
前記外筐上には第一固定柱と第二固定柱を設け、前記第一ねじりバネ一端と第二ねじりバネの一端は第一固定柱と第二固定柱にそれぞれ連接固定し、
前記第一回転軸と第二回転軸はすべて内ネジ孔を穿設し、前記設置板には第一回転軸と第二回転軸に対応するネジ孔を穿設し、
前記設置板の上側と下側はそれぞれ二個の固定板を成形し、固定板上には取付孔を穿設することを特徴とする請求項２記載の共有キャビネット。
【請求項６】
前記鍵片は納置槽を成形し、納置槽内には誘導コイルを設け、鍵片の側面には蓋片を当接し、蓋片が誘導コイルを納置槽内にパッケージングすることを特徴とする請求項２記載の共有キャビネット。
【請求項７】
前記キャビネット体のフレームは差込孔を穿設し、設置板は側面方向で差込孔に挿入し、キャビネット体のフレーム内で固定することを特徴とする請求項２記載の共有キャビネット。
【請求項８】
錠前体、鍵片とロック開閉組部材を含む共有キャビネット錠前において、
錠前体は側面方向に挿入し、キャビネット体のフレーム内で固定し、ロック開閉組部材は錠前体内に設け、鍵片一端は錠前体の側面に枢設し、鍵片の別一端でその一端を中心に回転し、隣接するキャビネット体のフレーム上に取付けた別のキャビネット錠前のロック開閉組部材との間で施錠／解錠連携を達成することを特徴とするキャビネット錠前。
【請求項９】
前記錠前体は設置板と外筐を含み、前記ロック開閉組部材は電動部材、第一回転部材、第二回転部材、第一ねじりバネと第二ねじりバネを含み、
設置板は側面方向に挿入してキャビネット体のフレーム内で固定し、外筐は設置板で蓋をし、外筐内側には第一回転軸と第二回転軸を設け、第一回転部材は第一回転軸を介し外筐上で相対回転可能な状態で設置され、第一ねじりバネのコイルは第一回転軸上に嵌合設置され、且つ第一ねじりバネの一端は外筐で連接固定し、第一ねじりバネの別一端は第一回転部材と連接固定され、
第二回転部材は第二回転軸を介し外筐上で相対回転可能な状態で設置され、第二ねじりバネのコイルは第二回転軸上に嵌合設置され、且つ第二ねじりバネの一端は外筐で連接固定し、第二ねじりバネの別一端は第二回転部材と連接固定され、
電動部材は外筐内に上下可動設置し且つ第一回転部材下方に位置し、電動部材の上端は第一回転部材の末端と連動連接し、第一回転部材先端には第一フックを成形し、鍵片一端は外筐側面に枢設し、鍵片の別一端には第二フックを成形し、第二回転部材の先端は第一フックと第二フックに対応するための掛合凸を成形し、外筐上には第二フックが鍵片下方で対応するための移動切欠口を成形し、掛合凸は移動切欠口箇所に位置し、
施錠時、鍵片は外力でその一端を中心にして回転し、キャビネットフレームで隣接する別のキャビネット錠前の外筐の移動切欠口に第二フックが入り、第二フックは別のキャビネット錠前の第二回転部材を押して回転させ、第二フックは前記第二回転部材の掛合凸を掛合して相互に位置制限し、同時に前記第二回転部材の掛合凸は第一フックを押し、第一フックは第一ねじりバネの作用力を介し掛合凸にスライド挿入し連携して位置制限し、
解錠時、電動部材は第一回転部材を下へ引き第一回転軸を中心に回転させ、掛合凸を第一フックから弾き出し、第二回転部材は第二ねじりバネの作用力によって回転し鍵片の第二フックを掛合凸から弾き出すことを特徴とする請求項８記載のキャビネット錠前。
【請求項１０】
前記ロック開閉組部材は、更に電子スイッチを含み、前記電動部材と電子スイッチは、導線または信号線でそれぞれ外部の制御設備に接続し、電子スイッチは外筐上に設置され第二回転部材末端に対応し、且つ第二回転部材末端は電子スイッチのバネ片と接触し、解錠時には、第二回転部材は第二ねじりバネ作用力で回転し、その末端はバネ片を押して電子スイッチを作動させることを特徴とする請求項８記載のキャビネット錠前。
【考案の詳細な説明】
【技術分野】
【０００１】
本考案は、キャビネットの技術領域に関し、特に共有キャビネットおよびその錠前に係る。
【背景技術】
【０００２】
現在、市場で見かけるキャビネット錠前は、一般に一部がキャビネット体に取付けられ、別一部がキャビネット扉に取付けられる。キャビネット錠前の二個の部材によってキャビネット扉とキャビネット体がロックされて合わさる。しかし、キャビネット扉のない開放式キャビネットに対し、現在のところ、キャビネット内の物品をロックして収納する適した錠前がなく、更に公知の錠前は体積が大きすぎるため、取付け空間が有限的だったり、または要求体積が薄いところでの使用に適さず、公知の錠前は二個が互いにロックできないこともある。
【０００３】
例として開放式書棚は、キャビネットのフレームが多数層として正確に配列した格子に分かれ、格子の間のフレームは非常に薄いため、錠前を取付けにくい。公知の書棚には書籍を単独で格子内にロックする錠前がなく、更に書名を便利に調べたり、本を取出したりするため、書棚には特にキャビネット体内で本をロックする錠前がない。しかし、貴重な物品を保管する場合、それに対応する錠前で安全を保証することが必要となる。
【０００４】
上述の点から本考案者は、開放式のキャビネットに対して研究を進め、スマートフォンまたはスマート設備で錠を開けたり締めたりする共有キャビネットを提出する。
【考案の概要】
【考案が解決しようとする課題】
【０００５】
構造が簡単で、体積が小さい特徴を有し、キャビネットの各格子をダブルロックできる共有キャビネットおよびその錠前を提供することを本考案の目的とする。
【課題を解決するための手段】
【０００６】
上述の目的を達成するため、本考案の技術案を以下のとおり実施する。
【０００７】
共有キャビネット、キャビネット体およびキャビネット体上に取付けるキャビネット錠前を含み、キャビネット体は、そのフレームを多数個の格子に仕切る。
【０００８】
キャビネット錠前は錠前体、鍵片とロック開閉組部材を含む。
【０００９】
錠前体は側面方向に挿入し、キャビネット体のフレーム内で固定し、ロック開閉組部材は錠前体内に設け、鍵片一端は錠前体の側面に枢設し、鍵片の別一端で、その一端を中心に回転し、隣接するキャビネット体のフレーム上に取付けた別のキャビネット錠前のロック開閉組部材との間で施錠／解錠連携を達成する。
【００１０】
更に、錠前体は設置板と外筐を含み、ロック開閉組部材は電動部材、第一回転部材、第二回転部材、第一ねじりバネと第二ねじりバネを含む。
【００１１】
設置板は側面方向に挿入してキャビネット体のフレーム内で固定し、外筐は設置板で蓋をし、外筐内側には第一回転軸と第二回転軸を設ける。第一回転部材は第一回転軸を介し外筐上で相対回転可能な状態で設置され、第一ねじりバネのコイルは第一回転軸上に嵌合設置され、且つ第一ねじりバネの一端は外筐で連接固定し、第一ねじりバネの別一端は第一回転部材と連接固定される。
【００１２】
第二回転部材は第二回転軸を介し外筐上で相対回転可能な状態で設置され、第二ねじりバネのコイルは第二回転軸上に嵌合設置され、且つ第二ねじりバネの一端は外筐で連接固定し、第二ねじりバネの別一端は第二回転部材と連接固定される。
【００１３】
電動部材は外筐内に上下可動設置し且つ第一回転部材下方に位置する。電動部材の上端は第一回転部材の末端と連動連接し、第一回転部材先端には第一フックを成形する。鍵片一端は外筐側面に枢設し、鍵片の別一端には第二フックを成形する。第二回転部材先端は第一フックと第二フックに対応するための掛合凸を成形し、外筐上には第二フックが鍵片下方で対応するための移動切欠口を成形し、掛合凸は移動切欠口箇所に位置する。
【００１４】
施錠時、鍵片は外力でその一端を中心にして回転し、キャビネットフレームで隣接する別のキャビネット錠前の外筐の移動切欠口に第二フックが入り、第二フックは別のキャビネット錠前の第二回転部材を押して回転させる。第二フックは第二回転部材の掛合凸を掛合して相互に位置制限し、同時に第二回転部材の掛合凸は第一フックを押し、第一フックは第一ねじりバネの作用力を介し掛合凸にスライド挿入し連携して位置制限する。
【００１５】
解錠時、電動部材は第一回転部材を下へ引き第一回転軸を中心に回転させ、掛合凸を第一フックから弾き出し、第二回転部材は第二ねじりバネの作用力によって回転し鍵片の第二フックを掛合凸から弾き出す。
【００１６】
更に、ロック開閉組部材は更に電子スイッチを含み、電動部材と電子スイッチは、導線または信号線でそれぞれ外部の制御設備に接続し、電子スイッチは外筐上に設置され第二回転部材末端に対応し、且つ第二回転部材末端は電子スイッチのバネ片と接触する。解錠時には、第二回転部材は第二ねじりバネ作用力で回転し、その末端はバネ片を押して電子スイッチを作動させる。
【００１７】
更に、電動部材はスライド台と電動スライド杆を含み、スライド台はネジで外筐上に固定し、スライド台はスライド槽を成形し、電動スライド杆は上下スライド方式でスライド槽の中に設け、電動スライド杆上端は連接ループで第一回転部材末端と連接して連動する。
【００１８】
更に、外筐上の第一回転部材に対応する末端には位置制限凸を設け、位置制限凸は第一回転部材の第一フックが掛合凸にスライド挿入できる位置に制限するものである。
【００１９】
外筐上には第一固定柱と第二固定柱を設け、第一ねじりバネ一端と第二ねじりバネの一端は第一固定柱と第二固定柱にそれぞれ連接固定する。
【００２０】
第一回転軸と第二回転軸はすべて内ネジ孔を穿設し、設置板には第一回転軸と第二回転軸に対応するネジ孔を穿設する。
【００２１】
設置板の上側と下側はそれぞれ二個の固定板を成形し、固定板上には取付孔を穿設する。
【００２２】
更に、鍵片は納置槽を成形し、納置槽内には誘導コイルを設け、鍵片側面には蓋片を当接し、蓋片が誘導コイルを納置槽内にパッケージングする。
【００２３】
更に、キャビネット体のフレームは差込孔を穿設し、設置板は側面方向で差込孔に挿入しキャビネット体のフレーム内で固定する。
【００２４】
共有キャビネット錠前は、錠前体、鍵片とロック開閉組部材を含む。
【００２５】
錠前体は側面方向に挿入し、キャビネット体のフレーム内で固定する。ロック開閉組部材は錠前体内に設け、鍵片一端は錠前体の側面に枢設し、鍵片の別一端でその一端を中心に回転し、隣接するキャビネット体のフレーム上に取付けた別のキャビネット錠前のロック開閉組部材との間で施錠／解錠連携を達成する。
【００２６】
更に、錠前体は設置板と外筐を含み、ロック開閉組部材は電動部材、第一回転部材、第二回転部材、第一ねじりバネと第二ねじりバネを含む。
【００２７】
設置板は側面方向に挿入してキャビネット体のフレーム内で固定し、外筐は設置板で蓋をし、外筐内側には第一回転軸と第二回転軸を設ける。第一回転部材は第一回転軸を介し外筐上で相対回転可能な状態で設置され、第一ねじりバネのコイルは第一回転軸上に嵌合設置され、且つ第一ねじりバネの一端は外筐で連接固定し、第一ねじりバネの別一端は第一回転部材と連接固定される。
【００２８】
第二回転部材は第二回転軸を介し外筐上で相対回転可能な状態で設置され、第二ねじりバネのコイルは第二回転軸上に嵌合設置され、且つ第二ねじりバネの一端は外筐で連接固定し、第二ねじりバネの別一端は第二回転部材と連接固定される。
【００２９】
電動部材は外筐内に上下可動設置し且つ第一回転部材下方に位置する。電動部材の上端は第一回転部材の末端と連動連接し、第一回転部材先端には第一フックを成形する。鍵片一端は外筐側面に枢設し、鍵片の別一端には第二フックを成形する。第二回転部材先端は第一フックと第二フックに対応するための掛合凸を成形し、外筐上には第二フックが鍵片下方で対応するための移動切欠口を成形し、掛合凸は移動切欠口箇所に位置する。
【００３０】
施錠時、鍵片は外力でその一端を中心にして回転し、キャビネットフレームで隣接する別のキャビネット錠前の外筐の移動切欠口に第二フックが入り、第二フックは別のキャビネット錠前の第二回転部材を押して回転させる。第二フックは第二回転部材の掛合凸を掛合して相互に位置制限し、同時に第二回転部材の掛合凸は第一フックを押し、第一フックは第一ねじりバネの作用力を介し掛合凸にスライド挿入し連携して位置制限する。
【００３１】
解錠時、電動部材は第一回転部材を下へ引き第一回転軸を中心に回転させ、掛合凸を第一フックから弾き出し、第二回転部材は第二ねじりバネの作用力によって回転し鍵片の第二フックを掛合凸から弾き出す。
【００３２】
更に、ロック開閉組部材は更に電子スイッチを含み、電動部材と電子スイッチは、導線または信号線でそれぞれ外部の制御設備に接続し、電子スイッチは外筐上に設置され第二回転部材末端に対応し、且つ第二回転部材末端は電子スイッチのバネ片と接触し、解錠時には、第二回転部材は第二ねじりバネ作用力で回転し、その末端はバネ片を押して電子スイッチを作動させる。
【考案の効果】
【００３３】
上述方案を採用することで、本考案構造が簡単で、部材が少なく、施錠時には、ユーザーが鍵片を押して隣接する別のキャビネット錠前のロック開閉組部材まで回すだけで施錠連携する。この時、鍵片は二個のフレームを横に跨ぎ、二個のフレームの間の格子を施錠し、格子内の本またはその他物品を取り出せなくする。物品の必要に応じて鍵片の面積を調整することで、各種物品の安全な保管を達成する。
【００３４】
解錠時には、鍵片を別の隣接する錠前から位置解除するだけで良い。拠って、本考案は専有面積が小さく、操作しやすく、鍵片は“縮小化された扉”に相当し、いつでも簡単に開閉できる。
【図面の簡単な説明】
【００３５】
【図１】本考案の分解図である。
【図２】本考案の組立図である。
【図３】本考案の施錠状態断面図である。
【図４】本考案の解錠状態断面図である。
【図５】本考案の解錠過程状態図（設置板が隠される）である。
【図６】本考案の解錠過程状態図（設置板が隠される）である。
【図７】本考案の外筐構造指示図である。
【図８】本考案の鍵片分解図である。
【図９】本考案を書棚に取付けた正面図である。
【図１０】本考案を書棚に取付けた立体構造図である。
【考案を実施するための形態】
【００３６】
（一実施形態）
以下、図式と具体的実施方式を提示し、本考案を更に詳しく説明する。
【００３７】
図１から図８に示すのは本考案が提示する共有キャビネットであり、それはキャビネット体４およびキャビネット体４上に取付けるキャビネット錠前を含み、キャビネット体４は、そのフレーム４１を多数個の格子に仕切る。
【００３８】
キャビネット錠前は錠前体１、鍵片２とロック開閉組部材３を含む。
【００３９】
フレーム４１は差込孔４１１を穿設し、錠前体１は設置板１１と外筐１２を含み、設置板１１を側面方向に差込孔４１１に挿入してフレーム４１内で固定し、外筐１２は設置板１１で蓋をし、外筐１２内側には第一回転軸１２１と第二回転軸１２２を設ける。
【００４０】
ロック開閉組部材３は電動部材３１、第一回転部材３２、第二回転部材３３、第一ねじりバネ３４、第二ねじりバネ３５と電子スイッチ３６を含む。
【００４１】
第一回転部材３２は第一回転軸１２１を介し外筐１２上で相対回転可能な状態で設置され、第一ねじりバネ３４のコイルは第一回転軸上１２１に嵌合設置され、外筐１２上には更に第一固定柱１２３と第二固定柱１２４が設けられ、第一ねじりバネ３４一端は外筐１２の第一固定柱１２３に連接固定され、第一ねじりバネ３４の別一端は第一回転部材３２と連接固定される。
【００４２】
第二回転部材３３は第二回転軸１２２を介し外筐１２上で相対回転可能な状態で設置され、第二ねじりバネ３５のコイルは第二回転軸１２２上に嵌合設置され、且つ第二ねじりバネ３５一端は外筐１２の第二固定柱１２４に連接固定され、第二ねじりバネ３５の別一端は第二回転部材３３と連接固定される。
【００４３】
電動部材３１は外筐１２内に上下可動設置し且つ第一回転部材３２下方に位置する。具体的には、電動部材３１はスライド台３１１と電動スライド杆３１２を含み、スライド台３１１はネジ５で外筐１２上に固定し、スライド台３１１はスライド槽３１３を成形し、電動スライド杆３１２は上下スライド方式でスライド槽３１３の中に設け、電動スライド杆３１２上端は連接ループ３１４で第一回転部材３２末端と連接して連動する。
【００４４】
第一回転部材３２先端には第一フック３２１を成形する。
【００４５】
鍵片２一端は外筐１２側面に枢設し、鍵片２の別一端には第二フック２１を成形する。第二回転部材３３先端は第一フック３２１と第二フック２１に対応するための掛合凸３３１を成形し、外筐１２上には第二フック２１が鍵片２下方で対応するための移動切欠口１２５を成形し、掛合凸３３１は移動切欠口１２５箇所に位置する。
【００４６】
電動部材３１と電子スイッチ３６は更に導線／信号線６を介し、それぞれ外部制御設備に接続し、外部制御設備は制御信号と電源を電動部材３１と電子スイッチ３６に伝送し、電子スイッチ３６は外筐１２上に設置され第二回転部材３３末端に対応する。更に第二回転部材３３末端は電子スイッチ３６のバネ片３６１と接触し、解錠時には、第二回転部材３３は第二ねじりバネ３５作用力で回転し、その末端はバネ片３６１を押して電子スイッチ３６を作動させる。
【００４７】
図９と図１０に示すとおり、本考案の電子キャビネット錠前を取付ける時、錠前体１を側面方向でキャビネットフレーム４１に挿入し、更に各格子両側のフレームはどちらも一個の錠前を取付け、鍵片２でその一端を中心に回転し、鍵片２の別一端がフレーム４１に隣接するロック箇所を回転する。
【００４８】
本考案の施錠過程は以下のとおりである。
【００４９】
施錠時、図３に示すとおり、電動部材３１は信号を受信するか、または電力が消失した後に第一回転部材３２を緩める。第一回転部材３２は第一ねじりバネ３４の動きによって位置制限凸１２６箇所まで回転移動し、ユーザーが鍵片２を押して、その一端を中心に回転させると、第二フック２１がキャビネットフレーム４１で隣接する別のキャビネット錠前の外筐１２の移動切欠口１２５に入り、第二フック２１は別のキャビネット錠前の第二回転部材３３を押して回転させる。第二フック２１が第二回転部材３３の掛合凸３３１を掛合して両者の位置を制限し、第一回転部材３２が電動部材３１によって緩められる。第二回転部材３３の掛合凸３３１は第一フック３２１を押し第一回転部材３２を第一ねじりバネ３４の抵抗に耐えて小角度で回転させ、第一フック３２１を第一ねじりバネ３４の作用力を借りて掛合凸３３１をスライドさせて位置制限を形成する。鍵片２をキャビネットのフレーム４１間の二個の格子に横に跨がせて固定することで施錠を達成し、第二回転部材３３は更に第二ねじりバネ３５作用力を介して回転し、その末端はバネ片３６１を押して電子スイッチ３６を作動させ、電子スイッチ３６はスイッチ信号を外部の制御設備に送る。
【００５０】
解錠時、図４−６に示すとおり、外部制御設備はスイッチ信号にもとづき対応する制御信号を電動部材３１に発信し、電動部材３１の電動スライド杆３１２は第一回転部材３２を下へ引き、第一回転軸１２１を中心に回転させ、掛合凸３３１を第一フック３２１から弾き出す。第二回転部材３３は第二ねじりバネ３５の作用力によって鍵片２の第二フック２１を回転させて掛合凸３３１から弾き出すことで解錠を達成する。この時第二回転部材３３が回転するため、その末端はバネ片３６１から離れ、電子スイッチ３６の位置が戻る。
【００５１】
良好な実施例として、図７に示すとおり、外筐１２上の第一回転部材に対応する末端には位置制限凸１２６を設ける。位置制限凸１２６は第一回転部材３２の第一フック３２１が掛合凸３３１にスライド挿入できる位置に制限するものである。それによって第一回転部材３２の位置が固定されず、施錠できなくなることを防ぐ。更に、第一フック３２１が掛合凸３３１にスライド挿入しやすくするため、掛合凸３３１と第一フック３２１は接触する端部が円弧面を形成する。
【００５２】
良好な実施例として、取付けしやすくするため、第一回転軸１２１と第二回転軸１２２はすべて内ネジ孔を穿設し、設置板１１には第一回転軸１２１と第二回転軸１２２に対応するネジ孔１１１を穿設する。更に、設置板１１の上側と下側はそれぞれ二個の固定板１１２を成形し、固定板１１２上には取付孔１１３を穿設する。更に、外筐１２一側には軸孔１２７を穿設し、鍵片２には軸孔１２７に対応する枢設軸２５を成形する。
【００５３】
良好な実施例として、鍵片２は納置槽２２を成形し、納置槽２２内には誘導コイル２３を設ける。鍵片２側面には蓋片２４を当接し、蓋片２４が誘導コイル２３を納置槽２２内にパッケージングする。誘導コイル２３はカード識別方式を提供し、外部のセンサー設備によって制御信号を外部制御設備に伝送し、次に外部制御設備で電動部材３１を制御する。インターネットがある状況においては、外部制御設備はネットワーク方式でその他設備から制御信号を取得し、無線コントロールでの解錠を達成する。
【００５４】
本考案の特徴として、錠前の相互施錠機能を達成し、全体構造についても、公知よりも錠前が小さく、操作性、安全性が公知の錠前よりも十分に高く、同時に現地またはインターネットのスマート制御を達成する。
【符号の説明】
【００５５】
１        錠前体
１１        設置板
１１１        ネジ孔
１１２        固定板
１１３        取付孔
１２        外筐
１２１        第一回転軸
１２２        第二回転軸
１２３        第一固定柱
１２４        第二固定柱
１２５        移動切欠口
１２６        位置制限凸
１２７        軸孔
２        鍵片
２１        第二フック
２２        納置槽
２３        誘導コイル
２４        蓋片
２５        枢設軸
３        ロック開閉組部材
３１        電動部材
３１１        スライド台
３１２        電動スライド杆
３１３        スライド槽
３１４        連接ループ
３２        第一回転部材
３２１        第一フック
３３        第二回転部材
３３１        掛合凸
３４        第一ねじりバネ
３５        第二ねじりバネ
３６        電子スイッチ
３６１        バネ片
４        キャビネット体
４１        フレーム
４１１        差込孔
５        ネジ
６        導線／信号線
【図１】
0003232331.tif 000003
【図２】
0003232331.tif 000004
【図３】
0003232331.tif 000005
【図４】
0003232331.tif 000006
【図５】
0003232331.tif 000007
【図６】
0003232331.tif 000008
【図７】
0003232331.tif 000009
【図８】
0003232331.tif 000010
【図９】
0003232331.tif 000011
【図１０】
0003232331.tif 000012
【手続補正書】
【提出日】令和3年3月30日(2021.3.30)
【手続補正１】
【補正対象書類名】実用新案登録請求の範囲
【補正対象項目名】全文
【補正方法】変更
【補正の内容】
【実用新案登録請求の範囲】
【請求項１】
キャビネット体およびキャビネット体上に取付けるキャビネット錠前を含み、前記キャビネット体は、そのフレームを多数個の格子に仕切る共有キャビネットにおいて、
前記キャビネット錠前は錠前体、鍵片とロック開閉組部材を含み、
錠前体は側面方向に挿入し、キャビネット体のフレーム内で固定し、ロック開閉組部材は錠前体内に設け、鍵片一端は錠前体の側面に枢設し、鍵片の別一端でその一端を中心に回転し、隣接するキャビネット体のフレーム上に取付けた別のキャビネット錠前のロック開閉組部材との間で施錠／解錠連携を達成することを特徴とする共有キャビネット。
【請求項２】
前記錠前体は、設置板と外筐を含み、前記ロック開閉組部材は電動部材、第一回転部材、第二回転部材、第一ねじりバネと第二ねじりバネを含み、
設置板は側面方向に挿入してキャビネット体のフレーム内で固定し、外筐は設置板で蓋をし、外筐の内側には第一回転軸と第二回転軸を設け、第一回転部材は第一回転軸を介し外筐上で相対回転可能な状態で設置され、第一ねじりバネのコイルは第一回転軸上に嵌合設置され、且つ第一ねじりバネの一端は外筐で連接固定し、第一ねじりバネの別一端は第一回転部材と連接固定され、
第二回転部材は第二回転軸を介し外筐上で相対回転可能な状態で設置され、第二ねじりバネのコイルは第二回転軸上に嵌合設置され、且つ第二ねじりバネの一端は外筐で連接固定し、第二ねじりバネの別一端は第二回転部材と連接固定され、
電動部材は外筐内に上下可動設置し、且つ第一回転部材下方に位置し、電動部材の上端は第一回転部材の末端と連動連接し、第一回転部材先端には第一フックを成形し、鍵片一端は外筐の側面に枢設し、鍵片の別一端には第二フックを成形し、第二回転部材先端は第一フックと第二フックに対応するための掛合凸を成形し、外筐上には第二フックが鍵片下方で対応するための移動切欠口を成形し、掛合凸は移動切欠口箇所に位置し、
施錠時、鍵片は外力でその一端を中心にして回転し、キャビネットフレームで隣接する別のキャビネット錠前の外筐の移動切欠口に第二フックが入り、第二フックは別のキャビネット錠前の第二回転部材を押して回転させ、第二フックは前記第二回転部材の掛合凸を掛合して相互に位置制限し、同時に前記第二回転部材の掛合凸は第一フックを押し、第一フックは第一ねじりバネの作用力を介して掛合凸にスライド挿入し連携して位置制限し、
解錠時、電動部材は第一回転部材を下へ引き、第一回転軸を中心に回転させ、掛合凸を第一フックから弾き出し、第二回転部材は第二ねじりバネの作用力によって回転し、鍵片の第二フックを掛合凸から弾き出すことを特徴とする請求項１記載の共有キャビネット。
【請求項３】
前記ロック開閉組部材は、更に電子スイッチを含み、前記電動部材と電子スイッチは、導線または信号線でそれぞれ外部の制御設備に接続し、電子スイッチは外筐上に設置され第二回転部材末端に対応し、且つ第二回転部材末端は電子スイッチのバネ片と接触し、解錠時には、第二回転部材は第二ねじりバネ作用力で回転し、その末端はバネ片を押して電子スイッチを作動させることを特徴とする請求項２記載の共有キャビネット。
【請求項４】
前記電動部材はスライド台と電動スライド杆を含み、スライド台はネジで外筐上に固定し、スライド台はスライド槽を成形し、電動スライド杆は上下スライド方式でスライド槽の中に設け、電動スライド杆上端は連接ループで第一回転部材末端と連接して連動することを特徴とする請求項２記載の共有キャビネット。
【請求項５】
前記外筐上の第一回転部材に対応する末端には位置制限凸を設け、前記位置制限凸は第一回転部材の第一フックが掛合凸にスライド挿入できる位置に制限するもので、
前記外筐上には第一固定柱と第二固定柱を設け、前記第一ねじりバネ一端と第二ねじりバネの一端は第一固定柱と第二固定柱にそれぞれ連接固定し、
前記第一回転軸と第二回転軸はすべて内ネジ孔を穿設し、前記設置板には第一回転軸と第二回転軸に対応するネジ孔を穿設し、
前記設置板の上側と下側はそれぞれ二個の固定板を成形し、固定板上には取付孔を穿設することを特徴とする請求項２記載の共有キャビネット。
【請求項６】
前記鍵片は納置槽を成形し、納置槽内には誘導コイルを設け、鍵片の側面には蓋片を当接し、蓋片が誘導コイルを納置槽内にパッケージングすることを特徴とする請求項２記載の共有キャビネット。
【請求項７】
前記キャビネット体のフレームは差込孔を穿設し、設置板は側面方向で差込孔に挿入し、キャビネット体のフレーム内で固定することを特徴とする請求項２記載の共有キャビネット。
【請求項８】
錠前体、鍵片とロック開閉組部材を含む共有キャビネット錠前において、
錠前体は側面方向に挿入し、キャビネット体のフレーム内で固定し、ロック開閉組部材は錠前体内に設け、鍵片一端は錠前体の側面に枢設し、鍵片の別一端でその一端を中心に回転し、隣接するキャビネット体のフレーム上に取付けた別のキャビネット錠前のロック開閉組部材との間で施錠／解錠連携を達成することを特徴とするキャビネット錠前。
【請求項９】
前記錠前体は設置板と外筐を含み、前記ロック開閉組部材は電動部材、第一回転部材、第二回転部材、第一ねじりバネと第二ねじりバネを含み、
設置板は側面方向に挿入してキャビネット体のフレーム内で固定し、外筐は設置板で蓋をし、外筐内側には第一回転軸と第二回転軸を設け、第一回転部材は第一回転軸を介し外筐上で相対回転可能な状態で設置され、第一ねじりバネのコイルは第一回転軸上に嵌合設置され、且つ第一ねじりバネの一端は外筐で連接固定し、第一ねじりバネの別一端は第一回転部材と連接固定され、
第二回転部材は第二回転軸を介し外筐上で相対回転可能な状態で設置され、第二ねじりバネのコイルは第二回転軸上に嵌合設置され、且つ第二ねじりバネの一端は外筐で連接固定し、第二ねじりバネの別一端は第二回転部材と連接固定され、
電動部材は外筐内に上下可動設置し且つ第一回転部材下方に位置し、電動部材の上端は第一回転部材の末端と連動連接し、第一回転部材先端には第一フックを成形し、鍵片一端は外筐側面に枢設し、鍵片の別一端には第二フックを成形し、第二回転部材の先端は第一フックと第二フックに対応するための掛合凸を成形し、外筐上には第二フックが鍵片下方で対応するための移動切欠口を成形し、掛合凸は移動切欠口箇所に位置し、
施錠時、鍵片は外力でその一端を中心にして回転し、キャビネットフレームで隣接する別のキャビネット錠前の外筐の移動切欠口に第二フックが入り、第二フックは別のキャビネット錠前の第二回転部材を押して回転させ、第二フックは前記第二回転部材の掛合凸を掛合して相互に位置制限し、同時に前記第二回転部材の掛合凸は第一フックを押し、第一フックは第一ねじりバネの作用力を介し掛合凸にスライド挿入し連携して位置制限し、
解錠時、電動部材は第一回転部材を下へ引き第一回転軸を中心に回転させ、掛合凸を第一フックから弾き出し、第二回転部材は第二ねじりバネの作用力によって回転し鍵片の第二フックを掛合凸から弾き出すことを特徴とする請求項８記載のキャビネット錠前。
【請求項１０】
前記ロック開閉組部材は、更に電子スイッチを含み、前記電動部材と電子スイッチは、導線または信号線でそれぞれ外部の制御設備に接続し、電子スイッチは外筐上に設置され第二回転部材末端に対応し、且つ第二回転部材末端は電子スイッチのバネ片と接触し、解錠時には、第二回転部材は第二ねじりバネ作用力で回転し、その末端はバネ片を押して電子スイッチを作動させることを特徴とする請求項９記載のキャビネット錠前。